(57)【特許請求の範囲】
【請求項１】
方形板の表面に大小の天然石材を埋設あるいは比較的小型と大型の天然石状凸出模様とを配設し、側辺またはコーナー部に比較的大型の自然石状凸出模様を部分的として形成し下面に空洞部を形成すると共にその側面に該空洞部に対する出入口を設けた該方形板の側壁部またはコーナー部に部分的な連結用凹部を形成し、該連結用凹部に連結部材を設けたことを特徴とする河川用コンクリートブロック。
【請求項２】
方形板に空隙が連通してなる天然石を埋設したり、自然石状凸出模様や方形板のみあるいはその両方をポーラスコンクリートとして形成したことを特徴とする請求項１に記載の河川用コンクリートブロック。
【請求項３】
請求項１〜２の何れか１つに記載した河川用コンクリートブロックを組み合わせて成る比較的大型の自然石凸出模様の下面に形成された出入口を有する空洞部が魚類その他の水生生物または小動物や水辺生物の棲息ないし避難場所となることを特徴としたコンクリートブロック工。
【発明の詳細な説明】
【０００１】
【発明の属する技術分野】
本発明は河の河床の魚道や河や湖沼の法面の護岸に兼用して使用できる河川用コンクリートブロックおよびコンクリートブロック工の創案に係り、河川などにおいて魚類などが適宜に休憩し、あるいは鳥類などの攻撃を回避することのできる自然の河道に近づけた魚道や河や湖沼法面の小動物等の住み処を備えた護岸を形成せしめ、また好ましい施工をなすことのできるブロックおよび該ブロックによる有利な魚道ブロック工や護岸工を提供しようとするものである。
【０００２】
【従来の技術】
河川床の勾配の急な箇所においては流速を緩和させるためにコンクリートによる堰堤によって落差部を形成したり、天然の巨石を敷き並べたり、コンクリートに埋設したり表面を凹凸の大きい擬岩としたコンクリートブロックを設置したりして大小の突起による幅や深さの異なる多様な流れを形成することで自然の渓流のイメージに近づけたり、法面に設置して石のゴロゴロした自然の河原のイメージをかもし出したりすることが行われている。
【０００３】
【発明が解決しようとする課題】
上記したような従来技術によるものは、これを高低差のある水流部分に採用した場合においてはブロック上に急速な流れが形成されることとなり、魚類などが遡上しようとしても容易でなく、落差の大きい堰堤等の所ではほとんどの魚種が遡上できない。又、大小の石の組み合わせによる阻石傾斜型の魚道においても稚魚や体力的に劣った魚類は遡上できないようなこととなり、また仮りに遡上できたとしても途中に休息所や待避所等がないので相当に疲れることは明かで、そのうよな状態では鳥類などの攻撃を受け易い不利がある。また法面に使用した時はなるほど石が見えて自然に近いものの植物も生えず、生き物も生育できない寒々とした護岸を形成することになる。
【０００４】
【課題を解決するための手段】
本発明は上記したような従来技術における課題を解消することについて検討を重ね、特定のブロックを用いることによって休息所を備えた好ましい魚道ないし水流条件を形成したり、植物が生育したり小動物が住めることに成功したものであって、以下の如くである。
【００１０】
（１）方形板の表面に大小の天然石材を埋設あるいは比較的小型と大型の天然石状凸出模様とを配設し、側辺またはコーナー部に比較的大型の自然石状凸出模様を部分的として形成し下面に空洞部を形成すると共にその側面に該空洞部に対する出入口を設けた該方形板の側壁部またはコーナー部に部分的な連結用凹部を形成し、該連結用凹部に連結部材を設けたことを特徴とする河川用コンクリートブロック。
【００１１】
（２）方形板に空隙が連通してなる天然石を埋設したり、自然石状凸出模様や方形板のみあるいはその両方をポーラスコンクリートとして形成したことを特徴とする前記（１）の河川用コンクリートブロック。
【００１３】
前記（１）〜（２）の河川用コンクリートブロックを組み合わせて成る比較的大型の自然石凸出模様の下面に形成された出入口を有する空洞部が魚類その他の水生生物または小動物や水辺生物の棲息ないし避難場所となることを特徴としたコンクリートブロック工。
【００１４】
【発明の実施の形態】
上記したような本発明によるものの具体的な実施態様を添附図面に示すものについて説明すると、本発明においては１例として図１〜図４に示し、また図５〜８に示すように連結使用されて魚道ブロック工を形成するようにされた河川用魚道ブロックを提案するものであって、この第１の実施態様である図１〜図４の場合においては近年の省人、省力化の要望に合わせ従来のブロックより大きくしたもので、幅が奥行の２倍程度である矩形状ブロック１にはその板面に比較的小型の５〜１５cm程度の自然石状凸出模様１０と、比較的大型の２０〜５０cm程度の自然石状凸出模様１１とをランダムに配設し、ブロック１の何れか一方の両端および他方の側辺の中央付近に図１に示すような千鳥状に四分の１から半分にカットした大型の自然石状凸出模様１１ａを配設し、その下面には図２、図３に示すように適宜に空洞部１２を形成すると共にその側面には図４に示す如く該空洞部１２に対する出入口１３を設けたものである。また凸出模様１０、１１は本物の天然石を埋設して構成することでより自然に近づけることができる。
【００１５】
なおこの図１〜図４に示したブロック１においてはその長辺方向においては２カ所、短辺方向においては１カ所の連結用凹部１４が夫々配設され、該連結凹部１４には連結金具１５がそれぞれ設けられていて、配列接合状態として設けられたブロック１相互を図８に示すようなシャックル１６などによって流れる水の圧力で流されないように基礎コンクリートからのアンカー筋と連結一体化し、これを適宜にコンクリートまたはモルタル中に埋装するように成っている。
【００１６】
ブロック１を法留コンクリート３１などにそって落差のある河床の斜面上に配設し、相互に連結した施工状態は図５から図８に示す如くで、各ブロック１を図５に示すように交互且つ平面的に１８０°反転させて前記した連結用凹部１４、１４を対向させた状態として連結することにより図１に示す大中小の天然石または自然石状凸出模様１０、１１をもつブロックを図６に示すように傾斜状に列設され、しかもそうした大中小の天然石または凸出模様１０、１１列の間にブロック１、１間の側辺の中央付近またはブロック１、１、１、１、間のコーナー部に空洞部をもつ四分の１または半分の大きさに形成された大型の自然石状凸出模様１１ａで１個の大型の自然石状凸出模様が合成して図７の如く千鳥状に配置された形で構成される。つまりこのようなブロック工が図６に示すような傾斜面を形成した場合に水流は大型自然石状凸出模様１１の間を蛇行して水流の幅、深さ、流速等が多様な傾斜流となり、しかも大型凸出模様１１ａによって出入口１３を有する空洞部１２内が形成され、適宜に水が補給、排出される停滞域を構成する。
【００１７】
従って図５、６に示すようなブロック１を連接したブロック工が図６のように傾斜していても該部分を流れる水流は種々に変化し、急速部、停滞部ないし緩速部の複合されたものとなり、魚類などはそうした変化に富んだ水流域を鳥類の攻撃を受けることなく適宜に休息しながら体力に即応した遊泳遡上をなすことができる。また対向設定された連結用凹部１４、１４間においては図６に示すようにアンカー筋１７を用いて基礎部に連結し、更にコンクリート若しくはモルタルを充填することは図示の如くであるが、このようなコンクリート若しくはモルタルの充填部がそのまま露出することが好ましくないような場合には天然石材１８を埋設して全体的な自然感覚を確保し、異和感のない状態とする。
【００１８】
図９と図１１には本発明による第２の実施構成としてのブロック２が示されている。即ちこのブロック２は全体的な形状が矩形状部体であることにおいては前述した第１の実施構成によるブロック１と同じであり、埋設された大きな天然石または大型凸出模様１１や小さな天然石または小型凸出模様１０の配設関係も同様であるが、出入口部１３や空洞部１２を有する四分の１にカットした大型の自然石状凸出模様１１ａがコーナ部に配設され、更に図１０のブロック２ａに示すように凸出模様を無数の空隙が連続するポーラスコンクリート３５を形成し、連結用凹部１４は短辺側と共に長辺側においても各１個であり、しかもブロック板２の板面には図１１に示す如く適宜に凹み部２０を形成して該板面上を流れる水流に淀み部を形成するように成っている。このポーラスの凸出模様に変えて多孔質の火山岩等の天然石を使用することで同効果以上を期待できることは云うまでもない。この図９のものにおいてはブロックを単に順次並設し、あるいは１つおきに反転して図１、５のものと同じ関係で配設しても施工上支障がないが何れにしても魚類等の休憩、待避場所は規則的に設けられる。尚、ポーラスコンクリートの空隙部内は水生昆虫の住み処になり、空隙部の通水で孔内の微生物の働きで浄化されると共に水流を弱め魚が遊泳し易くする。また表面の多数の小さな凹凸は水草や藻類が付着しやすく遡上する魚の餌ともなり、より大きな効果が期待できる。かつこのポーラスコンクリート３５の構成は図１２のブロック２ｂの板面のみとしたり、図１３のブロック２ｃの全体としたりその使用する勾配、目的に応じて変更することで広範囲な用途に使用できる。この図１０、図１２、図１３の構成は前述の図１〜図４のブロック板に適応してよいことは云うまでもない。
【００１９】
また図１４と図１５、図１６には本発明による第３の実施構成としてのブロック３が示されているが、このものにおいてはブロック３における小型の天然石または小型凸出模様１０、大型の天然石または大型凸出模様１１および凹み部２０などの配設については図９〜１３または図１〜図４などのものと同じである。然してこの図１４〜図１６のものにおいては連結用凹部１４に代え、ブロック３の角部に形成した角取り部３０を採用し、即ち角取り部３０に連結金具１５を設けたものである。なおこのものは出入口１３や空洞部１２を有する半分にカットした大型の自然石状凸出模様１１ａを長辺の両側と短辺の一方に配設したもので、例えば図１４において短辺方向の軸線を中心として１８０°回転させた状態に設定することにより魚類等の休憩ないし待避場所を千鳥状に位置させた施工をなすことができ、河床に換えて法面の水際の低水位部から高水位部の護岸としての使用例について説明する。
【００２０】
即ち、この第３のブロック３によるブロック工の連結施工状態は図１７〜図２１に示す如くであって、法留コンクリート３１と小口止めコンクリート部３２との間に前記したようなブロック３が配設されることは図５〜７などと同じであるが、河床でなく法面に使用されることから水流による圧力も小さいことから図１７と図１９、２０などに示されるように角取り部３０が突き合わされ、対向した連結金具１５、１５間に単なるコの字状の連結筋１６ａを設けることで的確な連結状態を形成し得る。
【００２１】
図１８のように水際部の低水位部の傾斜面を防砂版３３などを用いて形成した場合において、水中域における図２１に示す如く千鳥状に形成された空洞部１２内は魚介類や水生昆虫などの生息域となり、また洪水時などにおける避難場所として機能し、高水位部の傾斜面においては空中域の空洞部１２は一般的に陸生の昆虫や両生類若しくは小動物の生息場ないし隠れ場所となる。水中域においては大小の凸出模様１０、１１の間に土砂などが堆積して稚魚や水生生物の棲息や産卵に適し、空中域においても適宜に客土しあるいは増水時に堆積した土砂などにより植物３４が生育繁茂して適切な緑化が図られることは図示の如くである。図２０に示したような継手部には天然石材１８を図１７に示すようにセットすることにより異和感のない連結部とすることができる。
【００２２】
図２２には本発明によるブロック３の板面が多孔性のポーラスコンクリート３５上に設けられた場合のブロック３ａが示され、適宜に透水性を有するポーラスコンクリートブロックにおいて本発明における上述したような特性を得しめることができる。即ち図２３にはこの図２２のようなブロックを用いて図１８などに示したものと同様な施工状態が示されており、ポーラスコンクリート３５は水中にあっては底部土層との間における通気通水を図ると共に水棲生物や水中植物に対する好ましい環境を形成し、空中域においても植物３４の有利な生育条件を形成し、洪水時などにおける剥離を防止し、また昆虫などの生物に対する安定した生息部を構成する。尚、このポーラスコンクリートの形成は図１０や図１３に示す如く凸出模様１０、１１、１１ａのみとしたり全体としたりすることは、使用用途に応じて自由にしてよいことは前述した通りである。
【００２３】
図２４から図２７には本発明における第４のブロック板４が示され、この場合においても大小の天然石または大小の凸出模様１０、１１が配設され、またコーナ部に連結金具１５を設けて図１８、１９に示したようにブロック相互の連結を図るように成っているが、しかも貫通孔４１を配設してブロック板４の底面基礎層との間で通水を図り、また大型凸出模様１１の内部に形成された空洞部１２についても図２２、図２３に示すようにブロック板４の底面に開口４２されている。
【００２４】
即ち、この図２４〜２６に示した第４のブロック板４による施工状態は図２４に示す如くであって、空洞部１２の底面開口４２は基礎部地山に直接に開口し、水域においては水生植物の生育に適すると共に空洞部が広いので大型魚などの魚巣としても好ましい機能を有し、貫通孔４１に土砂や天然石が充填し易く、その隙間が水生昆虫、稚魚の住み処となる。空中域においては植生の根が直接に地層に伸長して生育が容易であり、岩の間から緑が見え隠れすると共に貫通孔からは柳等の樹木が生長し、植生の繁茂と相俟って空洞部が野ねずみなどの小動物の住み場所となる。また図２８には図２４〜２６のブロック全体をポーラスとしたブロック板４ａによる施工状態を示している。このことにより背面での通気通水がブロック全体で行なえるし、水の通水によって浄化も期待でき、表面の空隙部は水中にあっては藻類の繁茂、空中にあっては草類が生育して全体を緑で覆い隠すことができる。更にこの図２４〜２６、図２８のポーラスとしたブロックを河床の魚道等に利用することで前述した効果の他に貫通孔４１がよどみ部として機能する。
【００２５】
図２９〜図３１には本発明による第５のブロック板５が示されており、この場合においては凸出模様または埋設された天然石が面積的には大小の差があっても高さにおいては図３０に示すように略一定状態とされた場合である。即ち具体的には凸出模様１０、１１の高さは何れも３〜５cm程度の一定状態であって全般的に平坦状であるから人の歩行に適した状態とされている。底面に達する貫通孔４１が形成されていることにおいても第４ブロック４について図２４〜２６に示したところと同じであるが、空洞部１２が低くなることから凸出模様の横に出入口１３を形成して魚が出入りし易いようにしてある。このような第５ブロック５による施工状態は図３２に示されている如くであり、空洞部１２または通孔４１において魚介類その他の生息場所や植物等の生育に適した条件を形成できることは前述の通りである。また空隙のある天然石を埋設したり凸出模様やブロック板、あるいは全体をポーラスで構成してよいことも前述の説明通りである。
【００２６】
図３３と図３４には図２９〜３１のブロックを複数連結して施工できるように変形した本発明における第６の実施構成によるブロック６が示され、また図３５と図３６にはこの第６のブロック６を用いて施工されたブロック工の状態が示されている。即ちこの第６のブロック６はその長辺方向において一方に２つの台形状突出部６１を形成すると共にそれら突出部６１，６１間に同じ形状の凹入部６３を形成し、しかも両突出部６１の外側に同じ形状で面積的に２分の１とされた凹入部６４を対設し、また他方には中央部に１個の台形状突出部６１を形成すると共に両端部には面積的に２分の１とされた部分突出部６２，６２を対設し、それら突出部６１，６２には連結するための貫通孔６１ａ，６２ａを設け、その間に夫々突出部６１と同じ形状の凹入部６３，６３を形成したものである。
【００２７】
つまりこの第６のブロック６をその突出部６１を凹入部６３に嵌合させ、部分突出部６２を面積的に２分の１とされた凹入部６４に夫々嵌合させて組みつけ、貫通孔に連結のための鉄筋等の連結具を用いて複数個一体にして矢板等を使用して止水したり、水の流れている条件で吊り上げ据え付けることで図３５のように河床から低水位法面に連続して相互に嵌合し合った施工性の早い略安定なブロック工としての組みつけ状態を形成し、図３６のようなブロック工を簡易に施工できる。
【００２８】
図３７と図３８には本発明における第７の実施構成として前述の各ブロックの連結用凹部１４や連結のための角取り部３０を設けないで背面のコンクリート中に埋設して一体化する背面に平行した２つの突起部７１が並設された場合が示され、図３９にはこのものが急勾配の法面の護岸として施工した状態が示してある。即ち突起部７１、７１によって裏込め砕石７２上に護岸として連結一体化するための裏込めコンクリート７３を充填して的確に結合せしめて一体の護岸として安定な施工をなすことができ、空洞部１２内は水域においては魚巣または避難場所となり、空域では昆虫や両生類の住み場所となり、土砂が自然に堆積して水生や陸性の植物が生育してより自然に近い雰囲気をかもし出す。また、凸出模様に変えて天然石を埋設できることは前述の通りで、この凸出模様やブロック板をポーラスコンクリートとすることで、水の浄化や苔、藻類等が活着して成長が促進されることは云うまでもない。
【００２９】
図４０と図４１には本発明による第８の実施構成として急勾配で裏込めコンクリートを打設することなく積み重ねだけで護岸壁を形成するに適するように、即ち流速を阻害することのないように突出高さを一定状態とした天然石または凸出模様１０、１１を形成した場合が示されている。使用用途によって埋設する天然石や凸出模様の大きさを変えられることは前述の通りである。このブロック８の高さが一定状態であることにおいて図２９〜３１のものと同様であるが、この第８ブロック８においてはブロック板の厚さを厚くして鉄筋８１を図３７のように挿通すると共にコンクリートまたはモルタル８２を充填して積層されたブロック８、８の高さ方向における連結を図るための貫通孔８０が形成されたものであり、裏込め砕石に対して裏込めコンクリートを打設することなく直接にブロック８、８、８を組つけるようにされていて、急傾斜の護岸であっても簡易且つ的確に形成し得る。
【００３０】
比較的大きい凸出模様１１の内部に形成された空洞部１２は魚巣ないし水中生物の避難場所となり、また水際部においては土砂などが堆積して緑化に寄与し、更には両生類や昆虫類などの棲息部となるが、実質的には平坦状であって、流水等を阻害することがない。尚、ブロック８の実際のある天然石を埋設したり凸出模様やブロック板または全体をポーラスとすることで効果が拡大されることは前述の通りである。
【００３１】
以上説明したような本発明によるものは、方形板の表面に大小の天然石を埋設したり比較的小型の自然石状凸出模様と比較的大型の自然石状凸出模様とを配設したことにより天然に形成された河川床ないし河川や湖沼の法面の感覚を形成し、ブロック構造であっても異和感を生ぜしめることなく周辺環境になじんだ設備を形成し、しかも水流を適当に蛇行せしめて流速を緩和せしめる。
【００３２】
上記したような構成における比較的大型の自然石状凸出模様の下面に空洞部を形成すると共にその側面に該空洞部に対する出入口を設けたことによって水中にあっては落差の大きい河床の魚道として使用する時は自然の渓流のイメージをかもし出すと共に遊泳力の弱い魚種に配慮して遡上途中で休息でき、鳥類からの攻撃を防ぐことができる。また河床や法面に使用する時水流を空洞部内に取入れると共に滞水域を形成し、魚類や水中生物の休憩ないし棲息に、空中にあっては小動物や両生類、昆虫の住み処や植物の生育に好ましい条件を形成する。ポーラスコンクリートやそれに類した天然石を埋設することで背面土との通気、通水が計られ、浄化にも寄与し表面は水生、陸生植物が活着しやすくより自然に近い雰囲気をかもし出せる。
【００３３】
比較的大型の自然石状凸出模様が方形板の側辺部に部分的として形成され、その空洞部に対する出入口が前記側辺部に交叉した方向に形成されたことによって上述のように滞水域や生息域を形成する空洞部を複数のブロックに股がった大型構造物として形成し、上記したような作用を有効に得しめると共にプレキャストコンクリート構造物としての感覚を緩和減少する。
【００３４】
側辺部またはコーナ部に部分的な連結用凹部を形成し、該連結用凹部に連結部材を設けまたは設けるようにしたことによって多数個のブロックを適切に連結した水底または河岸部構造物を形成し、河川構造物としての安定性を確保する。
【００３５】
方形板の底面に背面構成物と係合するための突条を形成したことにより背面に裏込めコンクリートを打設して一体の護岸としたり、板厚を厚くしたブロックを積み重ね鉄筋を挿通してコンクリートを充填して有効に係合せしめ、急峻な河岸壁などに対し河川構造物として安定な施工を行わしめる。
【００３６】
長辺が短辺の1.５倍以上である矩形状方形板であって、その長辺に複数の連結用凹部を形成し、比較的大型の自然石状凸出模様が該短辺の一方における中間部に２分の１状態として形成されると共に他方の長辺における両端部にも４分の１状態として形成されたことにより止水をしないでかつ複数のブロックを一体に連結して現場における施工を容易とした河床または河岸部構造物を形成する。
【００３７】
前記したような何れかの河川用魚道ブロックを落差の大きい河床の魚道や河川床ないし水際部の法面の低水位部や高水位部法面に配設し、側辺部またはコーナ部に形成された部分的な連結用凹部に設けられた連結部材によって相互に連結されたことによって複数個のブロックが連結して河川床ないし法面に設定されて安定な施工状態を平易且つ的確に形成せしめる。
【００３８】
比較的大型の自然石凸出模様の下面に形成された空洞部に出入口を形成し、該空洞部が魚道としては鳥類からの避難場や遊泳力の弱い魚種の休息場として、法面にあっては水中では魚類その他の水中生物または水辺生物の棲息ないし避難場所、水生植物の生育場として、空中にあっては昆虫や小動物の生息場、植物の生育場として機能する。
【００３９】
側辺部またはコーナ部に部分的として形成された自然石凸出模様により複数個のブロックに股がった大型自然石凸出模様ないしその下面における大型空洞部を形成したことによって水生、陸生の各種生物の生息、水生、陸生植物の生育に適した空間域を形成する。
【００４０】
【発明の効果】
以上説明したような本発明によるときは大小の天然石を埋設し、あるいは比較的小型の自然石状凸出模様と比較的大型の自然石状凸出模様とを配設して周辺の環境ないし景観によくなじんだ河川用コンクリートブロック工を形成し、また護床ブロック工を形成せしめ、勿論魚道と護床を兼用せしめると共に該ブロック工上を流れる河川の流速を適当に緩和し、特に前記した比較的大型の自然石状凸出模様の下面に形成された空洞部を利用してこのような流速緩和と共に水生、陸生生物の休養ないし待避場所を提供し、魚道にあっては鳥類などの攻撃を有効に回避して安全な遊泳、棲息を確保し、更には河川床の好ましい保護を図り得るなどの効果をプレキャストコンクリートブロックによって的確に得しめるものであるから工業的にその効果の大きい発明である。
【図面の簡単な説明】
【図１】本発明による第１のコンクリートブロックの１例を示した平面図である。
【図２】図１に示したものの下方から見た側面図である。
【図３】図１、２に示したものの右方から見た側面図である。
【図４】図１〜３に示したものの空洞部配設関係を示した平面図である。
【図５】上記図１〜４に示したものにより形成されたブロック工の平面図である。
【図６】図５に示したブロック工の断面図である。
【図７】図５、図６に示したものの空洞部配設関係を示した平面図である。
【図８】その連結部についての部分的な断面図である。
【図９】本発明による第２のコンクリートブロックの平面図である。
【図１０】図９に示したものの凸出模様をポーラスコンクリートで形成した断面図である。
【図１１】図９に示したものの空洞部および開口部の配設関係を示した方形板上部の断面図である。
【図１２】図９に示したものの板面をポーラスコンクリートで形成した断面図である。
【図１３】図９に示したものの凸出模様および板面をポーラスコンクリートで形成した断面図である。
【図１４】本発明による第３のコンクリートブロック例を示した平面図である。
【図１５】図１４に示したものの図示下方から見た側面図である。
【図１６】図１４、１５に示したものの図示右方から見た側面図である。
【図１７】図１４〜１６に示したものの連結施工状態を示した平面図である。
【図１８】図１７についての断面図である。
【図１９】そのブロック体連結部についての部分的な平面図である。
【図２０】図１９について被覆材を施した状態の部分的断面図である。
【図２１】図１７に示したものにおける空洞部配設状態を示した平面図である。
【図２２】ポーラスコンクリートブロックを用いたものにおける１つのブロック部分についての側面図である。
【図２３】図２２において示したものについての施工状態を示す断面図である。
【図２４】本発明による第４のコンクリートブロックを示した平面図である。
【図２５】図２４の下方から見た側面図である。
【図２６】図２４、２５に示したものの図示右方から見た側面図である。
【図２７】図２４〜２６に示したものの施工状態を示した断面図である。
【図２８】図２４〜２６に示したブロックをその構成として全体をポーラスとした時の施工状態を示した断面図である。
【図２９】本発明による第５のコンクリートブロックを示した平面図である。
【図３０】図２９のものについての下方から見た側面図である。
【図３１】図２９、３０のものについての端面図である。
【図３２】図２９〜３１に示したものの施工状態を示した断面図である。
【図３３】本発明による第６のコンクリートブロックを示した平面図である。
【図３４】その側面図である。
【図３５】図３３、３４に示したブロックによって形成されたブロック工の平面図である。
【図３６】図３５に示したものの断面図である。
【図３７】本発明による急勾配用護岸に適した第７のコンクリートブロックの背面図である。
【図３８】その下方から見た側面図である。
【図３９】図３７、３８に示したものの施工状態を示した断面図である。
【図４０】本発明による鉄筋を用いるようにした第８のコンクリートブロックの側面図である。
【図４１】図４０に示したブロックによる護岸壁構成状態を示した部分切欠側面図である。
【符号の説明】
１  本発明による第１のコンクリートブロック
２，２ａ，２ｂ，２ｃ  本発明による第２のコンクリートブロック
３，３ａ  本発明による第３のコンクリートブロック
４，４ａ  本発明による第４のコンクリートブロック
５  本発明による第５のコンクリートブロック
６  本発明による第６のコンクリートブロック
７  本発明による第７のコンクリートブロック
８  本発明による第８のコンクリートブロック
１０  小さい天然石または小型凸出模様（自然石状）
１１  大きい天然石または大型凸出模様（自然石状）
１１ａ  大型凸出模様
１２  空洞部
１３  出入口
１４  連結用凹部
１５  連結金具
１６  シャックル
１６ａ  連結筋
１７  アンカー筋
１８  天然石材
２０  凹み部
３０  角取り部
３１  法留コンクリート
３２  小口止めコンクリート
３３  防砂版
３４  植物
３５  ポーラスコンクリート
４１  貫通孔
４２  底面開口
６１  台形状突出部
６１ａ  その貫通孔
６２  面積的に２分の１とされた部分突出部
６２ａ  その貫通孔
６３  台形状凹入部
６４  面積的に２分の１とされた凹入部
７１  突起部
７２  裏込め砕石
７３  裏込めコンクリート
８０  貫通孔
８１  鉄筋
８２  コンクリートまたはモルタル
【図１】
0004013210.tif 000002
【図２】
0004013210.tif 000003
【図３】
0004013210.tif 000004
【図４】
0004013210.tif 000005
【図５】
0004013210.tif 000006
【図６】
0004013210.tif 000007
【図７】
0004013210.tif 000008
【図８】
0004013210.tif 000009
【図９】
0004013210.tif 000010
【図１０】
0004013210.tif 000011
【図１１】
0004013210.tif 000012
【図１２】
0004013210.tif 000013
【図１３】
0004013210.tif 000014
【図１４】
0004013210.tif 000015
【図１５】
0004013210.tif 000016
【図１６】
0004013210.tif 000017
【図１７】
0004013210.tif 000018
【図１８】
0004013210.tif 000019
【図１９】
0004013210.tif 000020
【図２０】
0004013210.tif 000021
【図２１】
0004013210.tif 000022
【図２２】
0004013210.tif 000023
【図２３】
0004013210.tif 000024
【図２４】
0004013210.tif 000025
【図２５】
0004013210.tif 000026
【図２６】
0004013210.tif 000027
【図２７】
0004013210.tif 000028
【図２８】
0004013210.tif 000029
【図２９】
0004013210.tif 000030
【図３０】
0004013210.tif 000031
【図３１】
0004013210.tif 000032
【図３２】
0004013210.tif 000033
【図３３】
0004013210.tif 000034
【図３４】
0004013210.tif 000035
【図３５】
0004013210.tif 000036
【図３６】
0004013210.tif 000037
【図３７】
0004013210.tif 000038
【図３８】
0004013210.tif 000039
【図３９】
0004013210.tif 000040
【図４０】
0004013210.tif 000041
【図４１】
0004013210.tif 000042